(57)【要約】【課題】ユーザーが閉鎖空間で視界を覆う機器を用いた場合に、該ユーザーが該機器を利用可能（利用不可能、利用困難、適切に利用可能等）な状況か知ることができる情報処理装置を提供する。【解決手段】情報処理装置の通知手段は、少なくとも１人以上のユーザーが入ることができる閉鎖空間内で、ユーザーの視界を覆う機器が用いられており、該閉鎖空間の利用可能な時間に基づいて管理時間に到達した場合は、該ユーザーに通知する。【選択図】図１
2019105960.tif 000002
【特許請求の範囲】
【請求項１】
少なくとも１人以上のユーザーが入ることができる閉鎖空間内で、ユーザーの視界を覆う機器が用いられており、該閉鎖空間の利用可能な時間に基づいて管理時間に到達した場合は、該ユーザーに通知する通知手段
を有する情報処理装置。
【請求項２】
前記通知手段は、該機器を用いて通知を行う、
請求項１に記載の情報処理装置。
【請求項３】
前記通知手段は、該機器によって、前記ユーザーの視界に前記通知の提示を行う、
請求項２に記載の情報処理装置。
【請求項４】
前記管理時間として、前記閉鎖空間の利用可能な時間、利用許諾された時間、予約終了時間及び該予約終了時間の予め定められた時間前とする、
請求項１に記載の情報処理装置。
【請求項５】
前記閉鎖空間の施錠が解除されたことを検知した場合は、該閉鎖空間の予約を解除する解除手段
をさらに有する請求項１に記載の情報処理装置。
【請求項６】
少なくとも１人以上のユーザーが入ることができる閉鎖空間内で、扉が閉められていること、又は、該扉が施錠されていることを条件として、ユーザーの視界を覆う機器を用いることができるように制御する制御手段
を有する情報処理装置。
【請求項７】
少なくとも１人以上のユーザーが入ることができる閉鎖空間内で、ユーザーの視界を覆う機器が用いられている場合、該ユーザーに対して被害が生じる可能性があることを検知した場合は、該ユーザーに警告する警告手段
を有する情報処理装置。
【請求項８】
前記警告手段は、該機器を用いて警告を行う、
請求項７に記載の情報処理装置。
【請求項９】
前記警告手段は、該機器によって、前記ユーザーの視界に前記警告の提示を行う、
請求項８に記載の情報処理装置。
【請求項１０】
前記閉鎖空間内又は外に設置されており、前記ユーザー以外の人物による行動を検知する検知手段
をさらに有し、
前記警告手段は、前記検知手段によって検知された場合に、警告を行う、
請求項７に記載の情報処理装置。
【請求項１１】
前記検知手段は、前記閉鎖空間の扉に関する状態を検知する、
請求項１０に記載の情報処理装置。
【請求項１２】
前記検知手段は、前記閉鎖空間の扉が開いていること、該扉が施錠されていないこと、該閉鎖空間の外側の扉が触られたことのいずれか１つ以上を検知する、
請求項１１に記載の情報処理装置。
【請求項１３】
前記検知手段は、前記閉鎖空間内に予め定められた人数よりも多い人数がいることを検知する、
請求項１０に記載の情報処理装置。
【請求項１４】
前記検知手段は、前記閉鎖空間外に人がいることを検知する、
請求項１０に記載の情報処理装置。
【請求項１５】
前記閉鎖空間が設置されている位置についての災害情報を受信する受信手段
をさらに有し、
前記警告手段は、前記受信手段によって災害情報が受信された場合に、警告を行う、
請求項７に記載の情報処理装置。
【請求項１６】
前記管理時間に到達した場合、前記ユーザーの視界を覆う機器の該ユーザーに向けて表示している画像表示を消す、
請求項１に記載の情報処理装置。
【請求項１７】
コンピュータを、
少なくとも１人以上のユーザーが入ることができる閉鎖空間内で、ユーザーの視界を覆う機器が用いられており、該閉鎖空間の利用可能な時間に基づいて管理時間に到達した場合は、該ユーザーに通知する通知手段
として機能させるための情報処理プログラム。
【請求項１８】
コンピュータを、
少なくとも１人以上のユーザーが入ることができる閉鎖空間内で、扉が閉められていること、又は、該扉が施錠されていることを条件として、ユーザーの視界を覆う機器を用いることができるように制御する制御手段
として機能させるための情報処理プログラム。
【請求項１９】
コンピュータを、
少なくとも１人以上のユーザーが入ることができる閉鎖空間内で、ユーザーの視界を覆う機器が用いられている場合、該ユーザーに対して被害が生じる可能性があることを検知した場合は、該ユーザーに警告する警告手段
として機能させるための情報処理プログラム。
【発明の詳細な説明】
【技術分野】
【０００１】
本発明は、情報処理装置及び情報処理プログラムに関する。
【背景技術】
【０００２】
特許文献１には、ヘッドマウントディスプレイを装着すると外界を見ることができないため、周囲にある障害物に衝突することがあったことを課題とし、障害物検出部は、外界の画像からヘッドマウントディスプレイを装着したユーザーにとっての障害物を検出し、距離計算部は、検出された障害物からヘッドマウントディスプレイの装着者までの距離を計算し、障害物置換部は、検出された前記障害物を仮想オブジェクトに置換し、仮想オブジェクト合成部は、仮想オブジェクトを、ヘッドマウントディスプレイに表示される仮想空間内で障害物までの距離に応じた位置に合成することが開示されている。
【０００３】
特許文献２には、ウェアラブルコンピューティングデバイスは、バーチャルリアリティ環境を生成するヘッドマウントディスプレイ（ＨＭＤ）を含み、位置データの生成及び追跡を通じて、バーチャル環境に割り込むか、又は一時停止することができ、環境を一時停止すると、使用者は、バーチャル環境の標準動作中にはさもなければ利用できない多くの補助的メニュー及び制御にアクセスできることが開示されている。
【０００４】
特許文献３には、従来の姿勢角検出装置の一体化されているバーチャルリアリティ用のヘッドマウントディスプレイはコストが高く、装置自体も大掛かりなものが多く、そのために一般購買層への普及が難しいものとなっており、既存装置であるヘッドマウントディスプレイに、新しい機能「姿勢角検出機能」を追加することを課題とし、非常に価格帯が高く設定されているヘッドマウントディスプレイ装置へ、姿勢角検出装置を安価で追加でき、またバーチャルリアリティ技術においては確信的臨場感を追加することができ、安価に機能拡張できるため、バーチャルリアリティ技術の一般購買層への普及が見込まれ、これにより映像産業、娯楽産業、電子産業などの分野への活性化が期待できることが開示されている。
【０００５】
特許文献４には、ヘッドマウントディスプレイの予測追跡のための方法及びその装置を提供することを課題とし、ヘッドマウントディスプレイを監視するセンサーから１つ又は複数の三次元角速度測定値を得るステップと、ヘッドマウントディスプレイが実質的に静止している場合に予測間隔が実質的にゼロであり、かつ、ヘッドマウントディスプレイが所定の閾値以上の角速度で移動していることが示される場合に予測間隔が所定遅延間隔まで増大するように、１つ又は複数の三次元角速度測定値に基づいて予測間隔を設定するステップとを含み、さらに予測間隔に対応する時点における予測方位を生成するためにヘッドマウントディスプレイの三次元方位を予測するステップと、ヘッドマウントディスプレイ上の表示のために、予測方位に対応する作成映像を生成するステップとを含むことが開示されている。
【０００６】
特許文献５には、映像への没入感と映像操作の利便性を向上させる、ヘッドマウントディスプレイ及び入力装置を備える表示制御装置及び表示制御方法を提供することを課題とし、表示制御装置は、視点位置及び視線方向を設定して仮想空間の画像を生成し、ヘッドマウントディスプレイに表示させる表示制御部と、ヘッドマウントディスプレイを装着したユーザーの周囲の空間に存在する物体の位置に関する情報を取得する空間情報取得部と、ヘッドマウントディスプレイと物体との間の距離が所定値未満になった場合に、物体がユーザーの周囲に存在することをユーザーに報知する報知部とを備えることが開示されている。
【０００７】
特許文献６には、ヘッドマウントディスプレイを装着した状態ではユーザーは手元が見えず、コントローラーの操作などには困難が伴うことを課題とし、角度情報取得部は、ヘッドマウントディスプレイを装着したユーザーの頭部の回転角に関する情報を取得し、視線方向変更部は、頭部の回転角に関する情報に基づいて、パノラマ画像を見る視線方向を変更し、パノラマ画像処理部は、変更された視線方向から見たパノラマ画像を生成し、画像提供部は、生成されたパノラマ画像データをヘッドマウントディスプレイに供給することが開示されている。
【０００８】
特許文献７には、ヘッドマウントディスプレイのユーザーの利便性を向上させることを課題とし、ゲーム装置は、ヘッドマウントディスプレイを頭部に装着したユーザーが使用する入力装置と、ヘッドマウントディスプレイとの間の相対位置に基づいて、仮想三次元空間に配置されたオブジェクトの位置を制御する位置制御部と、オブジェクトを含む仮想三次元空間の画像を生成し、ヘッドマウントディスプレイに表示させる表示制御部とを備え、位置制御部は、入力装置とヘッドマウントディスプレイの間の距離が第１の距離以上である場合、入力装置の位置の変化に応じてオブジェクトの位置を線形的に変化させ、入力装置とヘッドマウントディスプレイの間の距離が第１の距離未満である場合、距離が第１の距離以上である場合とは異なる基準にしたがってオブジェクトの位置を決定することが開示されている。
【０００９】
特許文献８には、仮想空間へのユーザーの没入感を損なうことなく、映像酔いを低減させることができる仮想空間の提供方法及びプログラムが提供することを課題とし、非透過型のヘッドマウントディスプレイにユーザーが没入する仮想空間を提供する方法は、仮想空間を構成する仮想空間画像のうち、ユーザーが視認可能な視野画像を生成するステップと、ヘッドマウントディスプレイの動きと同期して視野画像を更新するステップと、ヘッドマウントディスプレイの動きと同期せずに視野画像を更新する場合に、ユーザーの視線を誘導するための視線誘導領域を生成し、視線誘導領域が視野画像の一部を隠すように視線誘導領域と視野画像とをヘッドマウントディスプレイに表示させるステップと、を含むことが開示されている。
【００１０】
特許文献９には、仮想空間へのユーザーの没入感を損なうことなく、映像酔いを低減させることができる仮想空間の提供方法及びプログラムが提供することを課題とし、非透過型のヘッドマウントディスプレイにユーザーが没入する仮想空間を提供する方法は、仮想空間を構成する仮想空間画像のうち、ユーザーが視認可能な視野画像を生成するステップと、ヘッドマウントディスプレイの動きと同期して視野画像を更新するステップと、ヘッドマウントディスプレイの動きと同期せずに視野画像を更新する場合に、ユーザーの視線を誘導するための視線誘導領域を生成し、視線誘導領域が視野画像の一部を隠すように視線誘導領域と視野画像とをヘッドマウントディスプレイに表示させるステップと、を含むことが開示されている。
【００１１】
特許文献１０には、ネットワークを介してヘッドマウントディスプレイにクラウドサービスを提供する画像生成装置であって、ヘッドマウントディスプレイに搭載された位置センサーにより取得された前記ヘッドマウントディスプレイを装着するユーザーの位置の情報を受信する位置情報受信部と、複数のユーザー間の位置関係に基づいて前記複数のユーザーのキャラクタの位置関係を決定する位置関係処理部と、決定されたキャラクタの位置関係に基づいて前記複数のユーザーのキャラクタを仮想空間に配置し、仮想空間をレンダリングする３次元レンダリング部と、レンダリングされた仮想空間の情報を前記ヘッドマウントディスプレイに送信する描画データ送信部とを含み、前記位置関係処理部は、前記複数のユーザー間の現実の距離に応じて前記仮想空間における前記複数のユーザーのキャラクタ間の距離を決定することが開示されている。
【００１２】
特許文献１１には、ヘッドマウントディスプレイのユーザーの利便性を向上させることを課題とし、ゲーム装置は、ヘッドマウントディスプレイを頭部に装着した第１のユーザーが使用する第１の入力装置から、入力された指示を示す情報を取得し、表示装置を見ることが可能な第２のユーザーが使用する第２の入力装置から、入力された指示を示す情報を取得する指示入力取得部と、仮想三次元空間において、指示入力取得部が取得した指示に基づいて事象を制御するゲーム制御部と、ヘッドマウントディスプレイに表示すべき仮想三次元空間の第１画像を生成する第１画像生成部と、表示装置に表示すべき仮想三次元空間の第２画像を生成する第２画像生成部を備えることが開示されている。
【００１３】
特許文献１２には、ヘッドマウントディスプレイにパノラマ画像や仮想空間を表示させるには処理負荷が大きいことを課題とし、ネットワークを介してヘッドマウントディスプレイにクラウドサービスを提供する画像生成装置を提供し、撮影画像受信部は、撮影方向の異なる複数の撮影画像を受信し、パノラマ画像処理部は、撮影方向の異なる複数の撮影画像を合成してパノラマ画像を生成し、フォーマット変換部は、パノラマ画像をヘッドマウントディスプレイの仕様に適した画像フォーマットに変換し、パノラマ画像送信部は、フォーマット変換後のパノラマ画像をヘッドマウントディスプレイに送信することが開示されている。
【００１４】
特許文献１３には、ヘッドマウントディスプレイのユーザーの利便性を向上させることを課題とし、ゲーム装置は、ユーザーの頭部に装着されるヘッドマウントディスプレイの姿勢を示す情報を取得するＨＭＤ情報取得部、仮想三次元空間において、複数の規則のうちのいずれかに基づいて決定された視点位置と、ヘッドマウントディスプレイの姿勢に基づいて決定された視線方向を用いて、仮想三次元空間をレンダリングすることにより、ヘッドマウントディスプレイに表示される仮想三次元空間の画像を生成する第１画像生成部を備え、第１画像生成部は、仮想三次元空間の状況に応じて、視点位置を決定するための規則を選択することが開示されている。
【００１５】
特許文献１４には、例えば仮想現実システムに対するインターフェースとしてユーザーが装着し、物理的環境内における近接する対象物に関して警告を与えるようなヘッドマウントディスプレイに関する衝突警告システムが開示されており、動き検出器が、ヘッドマウントディスプレイの位置的な変化を検出し、これら変化は、表示される映像の視野の変化に対応し、比較段が、その移動によりユーザーが“禁止”領域に入るかどうかを決定し、もしそうであるならば、映像的及び／又は可聴警告が、ヘッドマウントディスプレイを介してユーザーに提供され、一実施例においては、ヘッドマウントディスプレイのディスプレイスクリーンが、液晶ディスプレイシャッタを有し、このシャッタは、衝突が差し迫った場合に、ユーザーに危険の警告を与えるだけではなくヘッドマウントディスプレイを取り外す又は調整する必要なくその危険を分からせるように、透過状態に切り換えられることが開示されている。
【先行技術文献】
【特許文献】
【００１６】
【特許文献１】特開２０１３−２５７７１６号公報
【特許文献２】特表２０１７−５０６４４９号公報
【特許文献３】特開２００１−３３７２９４号公報
【特許文献４】特開２０１７−１２０４４１号公報
【特許文献５】特開２０１７−１０２２９８号公報
【特許文献６】特開２０１３−２５８６１４号公報
【特許文献７】特開２０１７−１０２７３２号公報
【特許文献８】特許第６０８７４５３号公報
【特許文献９】特開２０１７−１３８９７３号公報
【特許文献１０】特許第５８９１１３１号公報
【特許文献１１】特開２０１６−２１４８２２号公報
【特許文献１２】特開２０１６−１４００７８号公報
【特許文献１３】特開２０１６−１５８７９５号公報
【特許文献１４】特表平１０−５０４９１７号公報
【発明の概要】
【発明が解決しようとする課題】
【００１７】
例えば、Ｗｅｂ会議、個人のパーソナルコンピュータ等での作業が可能であるコミュニケーションブース等の閉鎖空間を、駅の構内等に設置可能になっている。
パーソナルコンピュータだけでなく、ヘッドマウントディスプレイのように視界を覆う機器を、この閉鎖空間で用いる場合がある。
本発明は、ユーザーが閉鎖空間で視界を覆う機器を用いた場合に、該ユーザーが該機器を利用可能（利用不可能、利用困難、適切に利用可能等）な状況か知ることができる情報処理装置及び情報処理プログラムを提供することを目的としている。
【課題を解決するための手段】
【００１８】
かかる目的を達成するための本発明の要旨とするところは、次の各項の発明に存する。
請求項１の発明は、少なくとも１人以上のユーザーが入ることができる閉鎖空間内で、ユーザーの視界を覆う機器が用いられており、該閉鎖空間の利用可能な時間に基づいて管理時間に到達した場合は、該ユーザーに通知する通知手段を有する情報処理装置である。
【００１９】
請求項２の発明は、前記通知手段は、該機器を用いて通知を行う、請求項１に記載の情報処理装置である。
【００２０】
請求項３の発明は、前記通知手段は、該機器によって、前記ユーザーの視界に前記通知の提示を行う、請求項２に記載の情報処理装置である。
【００２１】
請求項４の発明は、前記管理時間として、前記閉鎖空間の利用可能な時間、利用許諾された時間、予約終了時間及び該予約終了時間の予め定められた時間前とする、請求項１に記載の情報処理装置である。
【００２２】
請求項５の発明は、前記閉鎖空間の施錠が解除されたことを検知した場合は、該閉鎖空間の予約を解除する解除手段をさらに有する請求項１に記載の情報処理装置である。
【００２３】
請求項６の発明は、少なくとも１人以上のユーザーが入ることができる閉鎖空間内で、扉が閉められていること、又は、該扉が施錠されていることを条件として、ユーザーの視界を覆う機器を用いることができるように制御する制御手段を有する情報処理装置である。
【００２４】
請求項７の発明は、少なくとも１人以上のユーザーが入ることができる閉鎖空間内で、ユーザーの視界を覆う機器が用いられている場合、該ユーザーに対して被害が生じる可能性があることを検知した場合は、該ユーザーに警告する警告手段を有する情報処理装置である。
【００２５】
請求項８の発明は、前記警告手段は、該機器を用いて警告を行う、請求項７に記載の情報処理装置である。
【００２６】
請求項９の発明は、前記警告手段は、該機器によって、前記ユーザーの視界に前記警告の提示を行う、請求項８に記載の情報処理装置である。
【００２７】
請求項１０の発明は、前記閉鎖空間内又は外に設置されており、前記ユーザー以外の人物による行動を検知する検知手段をさらに有し、前記警告手段は、前記検知手段によって検知された場合に、警告を行う、請求項７に記載の情報処理装置である。
【００２８】
請求項１１の発明は、前記検知手段は、前記閉鎖空間の扉に関する状態を検知する、請求項１０に記載の情報処理装置である。
【００２９】
請求項１２の発明は、前記検知手段は、前記閉鎖空間の扉が開いていること、該扉が施錠されていないこと、該閉鎖空間の外側の扉が触られたことのいずれか１つ以上を検知する、請求項１１に記載の情報処理装置である。
【００３０】
請求項１３の発明は、前記検知手段は、前記閉鎖空間内に予め定められた人数よりも多い人数がいることを検知する、請求項１０に記載の情報処理装置である。
【００３１】
請求項１４の発明は、前記検知手段は、前記閉鎖空間外に人がいることを検知する、請求項１０に記載の情報処理装置である。
【００３２】
請求項１５の発明は、前記閉鎖空間が設置されている位置についての災害情報を受信する受信手段をさらに有し、前記警告手段は、前記受信手段によって災害情報が受信された場合に、警告を行う、請求項７に記載の情報処理装置である。
【００３３】
請求項１６の発明は、前記管理時間に到達した場合、前記ユーザーの視界を覆う機器の該ユーザーに向けて表示している画像表示を消す、請求項１に記載の情報処理装置である。
【００３４】
請求項１７の発明は、コンピュータを、少なくとも１人以上のユーザーが入ることができる閉鎖空間内で、ユーザーの視界を覆う機器が用いられており、該閉鎖空間の利用可能な時間に基づいて管理時間に到達した場合は、該ユーザーに通知する通知手段として機能させるための情報処理プログラムである。
【００３５】
請求項１８の発明は、コンピュータを、少なくとも１人以上のユーザーが入ることができる閉鎖空間内で、扉が閉められていること、又は、該扉が施錠されていることを条件として、ユーザーの視界を覆う機器を用いることができるように制御する制御手段として機能させるための情報処理プログラムである。
【００３６】
請求項１９の発明は、コンピュータを、少なくとも１人以上のユーザーが入ることができる閉鎖空間内で、ユーザーの視界を覆う機器が用いられている場合、該ユーザーに対して被害が生じる可能性があることを検知した場合は、該ユーザーに警告する警告手段として機能させるための情報処理プログラムである。
【発明の効果】
【００３７】
請求項１の情報処理装置によれば、ユーザーが閉鎖空間で視界を覆う機器を用いた場合に、該ユーザーが該機器を利用可能（利用不可能、利用困難、適切に利用可能等）な状況か知ることができる。
【００３８】
請求項２の情報処理装置によれば、視界を覆う機器を用いて通知を行うことができる。
【００３９】
請求項３の情報処理装置によれば、視界を覆う機器によって、ユーザーの視界に通知の提示を行うことができる。
【００４０】
請求項４の情報処理装置によれば、管理時間として、閉鎖空間の利用可能な時間、利用許諾された時間、予約終了時間及びその予約終了時間の予め定められた時間前とすることができる。
【００４１】
請求項５の情報処理装置によれば、閉鎖空間の施錠が解除された場合は、その閉鎖空間の予約を解除することができる。
【００４２】
請求項６の情報処理装置によれば、閉鎖空間内で、扉が閉められていること、又は、その扉が施錠されていることを条件として、ユーザーの視界を覆う機器を用いることができるように制御することができる。
【００４３】
請求項７の情報処理装置によれば、現実世界において被害が生じる可能性があることを、ユーザーは知ることができる。
【００４４】
請求項８の情報処理装置によれば、視界を覆う機器を用いて警告を行うことができる。
【００４５】
請求項９の情報処理装置によれば、視界を覆う機器によって、ユーザーの視界に警告の提示を行うことができる。
【００４６】
請求項１０の情報処理装置によれば、ユーザー以外の人物による行動を検知した場合に、警告を行うことができる。
【００４７】
請求項１１の情報処理装置によれば、閉鎖空間の扉に関する状態を検知することができる。
【００４８】
請求項１２の情報処理装置によれば、閉鎖空間の扉が開いていること、その扉が施錠されていないこと、その閉鎖空間の外側の扉が触られたことのいずれか１つ以上を検知して警告することができる。
【００４９】
請求項１３の情報処理装置によれば、閉鎖空間内に予め定められた人数よりも多い人数がいることを検知して警告することができる。
【００５０】
請求項１４の情報処理装置によれば、閉鎖空間外に人がいることを検知して警告することができる。
【００５１】
請求項１５の情報処理装置によれば、災害情報が受信された場合、警告することができる。
【００５２】
請求項１６の情報処理装置によれば、管理時間に到達した場合、ユーザーの視界を覆う機器のそのユーザーに向けて表示している画像表示を消すことができる。
【００５３】
請求項１７の情報処理プログラムによれば、ユーザーが閉鎖空間で視界を覆う機器を用いた場合に、該ユーザーが該機器を利用可能（利用不可能、利用困難、適切に利用可能等）な状況か知ることができる。
【００５４】
請求項１８の情報処理プログラムによれば、閉鎖空間内で、扉が閉められていること、又は、その扉が施錠されていることを条件として、ユーザーの視界を覆う機器を用いることができるように制御することができる。
【００５５】
請求項１９の情報処理プログラムによれば、現実世界において被害が生じる可能性があることを、ユーザーは知ることができる。
【図面の簡単な説明】
【００５６】
【図１】本実施の形態の構成例についての概念的なモジュール構成図である。
【図２】本実施の形態を備えた仮想現実ディスプレイ装置の例を示す説明図である。
【図３】本実施の形態が利用され得るブースの例を示す説明図である。
【図４】本実施の形態を利用したシステム構成例を示す説明図である。
【図５】画像提示モジュールの構成例についての概念的なモジュール構成図である。
【図６】本実施の形態による処理例を示すフローチャートである。
【図７】ブーススケジュールテーブルのデータ構造例を示す説明図である。
【図８】ブーススケジュールテーブルのデータ構造例を示す説明図である。
【図９】本実施の形態による提示例を示す説明図である。
【図１０】本実施の形態による提示例を示す説明図である。
【図１１】本実施の形態による処理例を示すフローチャートである。
【図１２】本実施の形態による処理例を示す説明図である。
【図１３】本実施の形態による処理例を示すフローチャートである。
【図１４】本実施の形態を用いない場合に発生する例を示す説明図である。
【図１５】本実施の形態による処理例を示す説明図である。
【図１６】本実施の形態による処理例を示す説明図である。
【図１７】本実施の形態による提示例を示す説明図である。
【図１８】本実施の形態を実現するコンピュータのハードウェア構成例を示すブロック図である。
【発明を実施するための形態】
【００５７】
以下、図面に基づき本発明を実現するにあたっての好適な一実施の形態の例を説明する。
図１は、本実施の形態の構成例についての概念的なモジュール構成図を示している。
なお、モジュールとは、一般的に論理的に分離可能なソフトウェア（コンピュータ・プログラム）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、それらのモジュールとして機能させるためのコンピュータ・プログラム（コンピュータにそれぞれの手順を実行させるためのプログラム、コンピュータをそれぞれの手段として機能させるためのプログラム、コンピュータにそれぞれの機能を実現させるためのプログラム）、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するという意味である。また、モジュールは機能に一対一に対応していてもよいが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（データの授受、指示、データ間の参照関係、ログイン等）の場合にも用いる。「予め定められた」とは、対象としている処理の前に定まっていることをいい、本実施の形態による処理が始まる前はもちろんのこと、本実施の形態による処理が始まった後であっても、対象としている処理の前であれば、そのときの状況・状態にしたがって、又はそれまでの状況・状態にしたがって定まることの意を含めて用いる。「予め定められた値」が複数ある場合は、それぞれ異なった値であってもよいし、２以上の値（もちろんのことながら、全ての値も含む）が同じであってもよい。また、「Ａである場合、Ｂをする」という記載は、「Ａであるか否かを判断し、Ａであると判断した場合はＢをする」の意味で用いる。ただし、Ａであるか否かの判断が不要である場合を除く。また、「Ａ、Ｂ、Ｃ」等のように事物を列挙した場合は、断りがない限り例示列挙であり、その１つのみを選んでいる場合（例えば、Ａのみ）を含む。
また、システム又は装置とは、複数のコンピュータ、ハードウェア、装置等がネットワーク（一対一対応の通信接続を含む）等の通信手段で接続されて構成されるほか、１つのコンピュータ、ハードウェア、装置等によって実現される場合も含まれる。「装置」と「システム」とは、互いに同義の用語として用いる。もちろんのことながら、「システム」には、人為的な取り決めである社会的な「仕組み」（社会システム）にすぎないものは含まない。
また、各モジュールによる処理毎に又はモジュール内で複数の処理を行う場合はその処理毎に、対象となる情報を記憶装置から読み込み、その処理を行った後に、処理結果を記憶装置に書き出すものである。したがって、処理前の記憶装置からの読み込み、処理後の記憶装置への書き出しについては、説明を省略する場合がある。なお、ここでの記憶装置としては、ハードディスク、ＲＡＭ（Ｒａｎｄｏｍ  Ａｃｃｅｓｓ  Ｍｅｍｏｒｙ）、外部記憶媒体、通信回線を介した記憶装置、ＣＰＵ（Ｃｅｎｔｒａｌ  Ｐｒｏｃｅｓｓｉｎｇ  Ｕｎｉｔ）内のレジスタ等を含んでいてもよい。
【００５８】
本実施の形態である情報処理装置１００は、ユーザーの視界を覆って、そのユーザーの動作方向に連動して提示する画像を変更する機器が出力指示を受け付けた場合に、画像の出力を可能とするものであって、図１の例に示すように、動き検知モジュール１０５、画像記憶モジュール１１０、画像提示モジュール１１５、スケジュール受付モジュール１２０、スケジュール管理モジュール１２５、センサー結果受付モジュール１３５、制御モジュール１４０を有している。
「ユーザーの視界を覆って、そのユーザーの動作方向に連動して提示する画像を変更する機器」として、例えば、ヘッドマウントディスプレイ（Ｈｅａｄ  Ｍｏｕｎｔｅｄ  Ｄｉｓｐｌａｙ）がある。ヘッドマウントディスプレイとは、ゴーグルやヘルメット、眼鏡のように、頭部に装着して使うディスプレイのことである。「スマートグラス」とも呼ばれる。なお「ユーザーの視界を覆う」ことは、完全にユーザーの視界を遮蔽し、そのユーザーに画像提示モジュール１１５による画像だけを見せるようにすることの他に、頭部に装着して使うディスプレイであれば、そのユーザーに主として画像提示モジュール１１５による画像を見せるが、例えば、視界の端で外界が見えるようになっていてもよい。つまり、ユーザーが画像提示モジュール１１５による画像に意識を取られることが発生するものであればよい。換言すれば、物理的な外界の世界についての情報を受け取ることができない状況であればよい。
人間の感覚器官に働きかけ現実感のある環境を人工的に作り出す技術を「ＶＲ」（Ｖｉｒｔｕａｌ  Ｒｅａｌｉｔｙ：バーチャルリアリティ、仮想現実、人工現実感）というが、コンピュータによってリアルタイムに生成した映像（画像）をヘッドマウントディスプレイに表示するシステムはＶＲを実現する。なお、遠隔会議等をＶＲとして実現してもよい。
なお「ユーザーの動作方向に連動」とは、ユーザーの頭部等の身体又は視線の動きを検知し、表示に反映させることである。
【００５９】
また、情報処理装置１００は、少なくとも１人以上のユーザーが入ることができる閉鎖空間内で用いられる。ここで、「閉鎖空間（以下、ブースともいう）」とは、予定されたユーザー以外の人物が容易に入ることができない空間をいい、開放されていない閉じられた空間、又は、閉鎖された空間である。例えば、ユーザーの周囲を壁のような仕切りで囲み、外界と隔てられていてもよいし、電話ボックスのように箱形のスペースであってもよい。ただし、天井は解放されていてもよい。また、窓等が設けられていてもよい。即ち、ブースは、ブースにより区切られた内部空間にいるユーザーが自身又は同時刻におけるブース内部空間への入室を許可した他者以外の第三者を入れないようにブース内部空間とブースにより区切られた内部空間の外とを隔てる何らかの仕掛け（出入り口扉の開閉や施錠管理等が備わっている）がある空間であれば、完全に密閉されている空間でなくてもよい。なお、念のため、ここでの「第三者」とは、ユーザー自身と入室が許可された者以外の者（ユーザー自身でなく、かつ、入室が許可された者でもない者）のことである。具体例として、図３を用いて後述する。
また、その閉鎖空間には、ユーザーが出入りするための扉があり、その扉は施錠可能であることが好ましい。なお、閉鎖空間を構成する壁、扉には、ガラス等の透明板（又は、磨りガラス等の半透明板）がはめ込まれていてもよい。扉の種類は、例えば、開戸、引戸、吊戸、折戸等の何れでもよい。また、扉の開閉がモータ等の駆動手段を用いて、扉の位置を移動させる自動式でもよい。
閉鎖空間の利用は、予約して利用すること、開いているならば利用できることのいずれであってもよい。
【００６０】
動き検知モジュール１０５は、画像提示モジュール１１５と接続されている。動き検知モジュール１０５は、ユーザーの動作を検知する。前述したように、ユーザーの頭部等の身体又は視線の動きを検知する。
画像記憶モジュール１１０は、画像提示モジュール１１５と接続されている。画像記憶モジュール１１０は、ユーザーの視野に提示し得る画像を記憶している。動画像、静止画像、３次元画像、音声等のデータを記憶している。具体的には、各時間における３６０度の周囲の画像を記憶している。なお、必ず３６０度全周囲に画像がなくてもよい。すなわち、特定の角度の周囲までしか画像が準備されていなくても、本発明のいう「ユーザーの動作方向に連動して提示する画像を変更する機器」を満たす。特定の角度の周囲までしか画像が切り替わらない、表示されないという場合、特定の角度の周囲より大きい又は以上には、画像がない、又は、切り替わらないように制御するように、処理してよい。
画像提示モジュール１１５は、動き検知モジュール１０５、画像記憶モジュール１１０、スケジュール管理モジュール１２５、制御モジュール１４０と接続されている。画像提示モジュール１１５は、動き検知モジュール１０５によって検知されたユーザーの動作に連動して、そのユーザーの視野に提示する画像を変更する。
ＶＲでは、３６０度方向に位置付けられた画像が各アプリケーションソフトウェアのシーンに応じて表示される。すなわち、そのアプリケーションソフトウェアを起動してからＸ分後には、そのＸ分後のシーンに対して３６０度の画像があり、Ｙ時間後であればそのＹ時間後のシーンに対して３６０度の画像がある。ただし、人の視野は基本的に約１８０度なので、その視野で対応できる範囲で、仮想現実ディスプレイ装置２００の表示部に合わせて領域を切り取って表示している。
なお、画像提示モジュール１１５は、画像の提示の他に人間の五感に刺激を与えること、例えば、音声等の出力、振動等を発生してもよい。
【００６１】
スケジュール受付モジュール１２０は、スケジュール管理モジュール１２５と接続されている。スケジュール受付モジュール１２０は、情報処理装置１００が利用されている閉鎖空間のスケジュール情報を、スケジュール管理を行っているサーバー等から通信回線を介して受け付ける。また、情報処理装置１００内にスケジュール情報を記憶していてもよい。
スケジュール管理モジュール１２５は、通知モジュール１３０を有しており、画像提示モジュール１１５、スケジュール受付モジュール１２０と接続されている。スケジュール管理モジュール１２５は、スケジュール受付モジュール１２０が受け付けたスケジュール情報を用いて、情報処理装置１００が利用されている閉鎖空間のスケジュールを管理する。例えば、その閉鎖空間が誰に何時から何時まで利用されるか、利用可能なのか等を管理する。具体的には、図７の例を用いて後述するブーススケジュールテーブル７００を利用して管理してもよい。なお、スケジュール情報として、利用可能な時間、利用許諾された時間、予約終了時間が含まれていてもよい。
例えば、スケジュール管理モジュール１２５は、閉鎖空間の施錠が解除されたことを検知した場合は、その閉鎖空間の予約を解除するようにしてもよい。例えば、スケジュール受付モジュール１２０を介して、閉鎖空間のスケジュールを管理しているサーバー等に対して、予約を解除する指示を行うようにしてもよい。なお、「施錠が解除」されたか否かは、センサー結果受付モジュール１３５が検知し、その結果をスケジュール管理モジュール１２５が受け取るようにしてもよい。「施錠が解除」ということは、その閉鎖空間の利用が終了したことを意味するので、その閉鎖空間の予約を解除する。なお、予約の終了時間前である場合は、終了時間までの残り時間に応じて、閉鎖空間の使用料金を返金するようにしてもよい。
さらに、情報処理装置１００の利用が終了した後であって、閉鎖空間の施錠が解除されたことを検知したことを条件として、その閉鎖空間の予約を解除するようにしてもよい。情報処理装置１００を利用しているにもかかわらず、誤って解錠してしまった場合に対応するためである。
【００６２】
通知モジュール１３０は、少なくとも１人以上のユーザーが入ることができる閉鎖空間内で、ユーザーの視界を覆う機器（情報処理装置１００）が用いられており、その閉鎖空間の利用可能な時間（予約時間等を含む、以下、予約時間を例示して説明する）に基づいて管理時間に到達した場合は、そのユーザーに通知する。
そして、通知モジュール１３０は、情報処理装置１００を用いて通知を行うようにしてもよい。例えば、通知モジュール１３０は、情報処理装置１００によって、ユーザーの視界に通知の提示を行う。具体的には、画像提示モジュール１１５を介して通知を行う。例えば、「管理時間に到達した旨」等を、仮想現実ディスプレイ装置２００のディスプレイに表示するようにしてもよい。この他に、スピーカー（ヘッドフォン、イヤフォン等を含む）を用いて音声による通知を行うこと、振動を用いて通知を行うこと等を行ってもよい。
【００６３】
管理時間として、閉鎖空間の利用可能な時間、利用許諾された時間、予約終了時間及び／又はその予約終了時間の予め定められた時間前としてもよい。つまり、閉鎖空間の予約終了時間が近づいた場合、その予約終了時間になった場合、又は、その予約終了時間を超過した場合は、その旨をユーザーに通知することになる。したがって、ユーザーは、視界を覆う機器を利用している場合であっても（例えば、情報処理装置１００のコンテンツに没頭していたとしても）、閉鎖空間の予約終了時間が迫っていることを知ることができ、終了の準備をすることができるようになる。なお、前から予約していたのではなく、急遽閉鎖空間に来所して、そこで、利用を開始するというケース（利用可能な時間、利用許諾された時間）もある。具体的には、ゲームセンターなどで、ゲームをするとき等と同様に、予約しているのではなく、前の利用ユーザーが終了するのを待ち、そのユーザーが去ったら、所定の時間内（例えば、１００円で予め定められた時間）の使用ができるようにしてもよい。
また、スケジュール管理モジュール１２５は、管理時間に到達した場合、ユーザーの視界を覆う機器のユーザーに向けて表示している画像表示を消すようにしてもよい。つまり、情報処理装置１００の利用を強制的に終了させるようにしてもよい。
【００６４】
センサー結果受付モジュール１３５は、制御モジュール１４０と接続されている。センサー結果受付モジュール１３５は、閉鎖空間内又は外に備え付けられたセンサー（施錠と解錠を検知するセンサー、人検知センサー、カメラ等）の検知結果を制御モジュール１４０に渡す。例えば、閉鎖空間内又は外に設置されている人検知センサーが、ユーザー以外の人物による行動を検知した場合に、その検知結果を受け取り、制御モジュール１４０に渡す。ここで「ユーザー以外の人物」か否かは、顔認識技術を用いればよい。なお、閉鎖空間を予約したユーザー（正式なユーザー）の顔を予め登録しておき、それ以外の人物は「ユーザー以外の人物」としてもよい。
「閉鎖空間内又は外に設置」として、センサーの設置場所は、閉鎖空間を構成している扉、壁、床、天井等の他に、その閉鎖空間を構成していない場所（例えば、閉鎖空間付近の柱等）であってもよい。
【００６５】
センサーとして、閉鎖空間の扉に関する状態を検知するものであってもよい。そのセンサーは、閉鎖空間の扉が開いていること、その扉が施錠されていないこと、その閉鎖空間の外側の扉が触られたことのいずれか１つ以上を検知するようにしてもよい。
また、センサーとして、閉鎖空間内に予め定められた人数よりも多い人数がいることを検知するものであってもよい。この場合、センサーは人検知センサーであり、閉鎖空間内に設置されており、閉鎖空間内の人数を検知する。予め定められた人数であるか否かは、スケジュール管理モジュール１２５からスケジュール情報（その時間帯に予約されている人数）を受け取って判断すればよい。
また、センサーとして、閉鎖空間外に人がいることを検知するものであってもよい。例えば、その閉鎖空間から予め定められた距離以内に、予め定められた時間以上滞在していることを条件として検知してもよい。つまり、閉鎖空間の周辺を歩き回っている（うろうろしている）人物である。
また、センサー結果受付モジュール１３５は、閉鎖空間が設置されている位置についての災害情報を受信するようにしてもよい。例えば、緊急地震速報サービスを行っているサーバー、閉鎖空間が位置している施設の火事情報を発信するサーバー等と通信を行って、それらの情報を受信するようにしてもよい。
【００６６】
制御モジュール１４０は、警告モジュール１４５を有しており、画像提示モジュール１１５、センサー結果受付モジュール１３５と接続されている。制御モジュール１４０は、少なくとも１人以上のユーザーが入ることができる閉鎖空間内で、扉が閉められていること、又は、その扉が施錠されていることを条件として、ユーザーの視界を覆う機器（情報処理装置１００）を用いることができるように制御する。つまり、閉鎖空間を施錠していない状態で、情報処理装置１００を用いることは危険である（例えば、他人が閉鎖空間内に侵入し、ユーザーの所持品を盗む等）ので、そのような事態を回避することができるようにするものである。
【００６７】
警告モジュール１４５は、少なくとも１人以上のユーザーが入ることができる閉鎖空間内で、ユーザーの視界を覆う機器（情報処理装置１００）が用いられている場合、そのユーザーに対して被害が生じる可能性があることを検知した場合は、そのユーザーに警告する。この構成によって、現実世界において被害が生じる可能性があることを知ることができる。
「ユーザーに対して被害が生じる可能性があること」として、例えば、災害が発生したこと（又は、発生を予測したこと）、ユーザー以外の人物による行動によるものがある。そして、災害には、気象災害（雨、風等）、地震等の自然災害、火事等の人為的災害がある。
そして、警告モジュール１４５は、情報処理装置１００を用いて警告を行うようにしてもよい。例えば、警告モジュール１４５は、情報処理装置１００によって、ユーザーの視界に通知の提示を行う。具体的には、画像提示モジュール１１５を介して通知を行う。例えば、「扉を開けようとしている人がいる旨」、「火事が発生した旨」等を、仮想現実ディスプレイ装置２００のディスプレイに表示するようにしてもよい。この他に、スピーカーを用いて音声による通知を行うこと、振動を用いて通知を行うこと等を行ってもよい。
また、警告モジュール１４５は、センサー結果受付モジュール１３５によって「閉鎖空間内又は外でのユーザー以外の人物による行動」が検知された場合に、警告を行うようにしてもよい。
また、警告モジュール１４５は、センサー結果受付モジュール１３５によって災害情報が受信された場合に、警告を行うようにしてもよい。
【００６８】
図２は、本実施の形態（情報処理装置１００）を備えた仮想現実ディスプレイ装置２００の例を示す説明図である。
仮想現実ディスプレイ装置２００は、ヘッドマウントディスプレイといわれており、情報処理装置１００を有している。仮想現実ディスプレイ装置２００は、例えばゴーグル形状である。また、眼鏡形状であってもよい。情報処理装置１００の画像提示モジュール１１５は、仮想現実ディスプレイ装置２００を装着したユーザー２９０の視界（視野、眼前）を覆うように構成された提示部（ディスプレイ、スクリーン等）を備えている。つまり、仮想現実ディスプレイ装置２００がユーザー２９０の頭部に装着されることで、画像提示モジュール１１５の提示部がユーザー２９０の左右の目の前に配置されるよう構成される。これにより、ユーザー２９０は、画像提示モジュール１１５によって提示された視野画像のみを見ることで仮想空間に没入することができる。なお、画像提示モジュール１１５は、ユーザー２９０の左目に投影される左目用の提示部とユーザー２９０の右目に投影される右目用の提示部とから構成されてもよい。
【００６９】
情報処理装置１００の動き検知モジュール１０５は、地磁気センサー、加速度センサー、傾きセンサー（角速度センサーやジャイロセンサー等）、視線センサーのうちの少なくとも１つを含み、ユーザー２９０の頭部に装着されている仮想現実ディスプレイ装置２００の各種動き（つまり、ユーザー２９０の頭部の各種動き）、又は、視線を検出することができる。
なお、仮想現実ディスプレイ装置２００に、ユーザー２９０が操作するコントローラー、ユーザー２９０の音声を受け付けるマイク、音声を出力するスピーカー（ヘッドフォン、イヤフォンを含む）、ユーザー２９０の身体（手、指、足等を含む）の動きを検知するモーションセンサー等が取り付けられていてもよい。
【００７０】
例えば、仮想現実ディスプレイ装置２００を起動後、ユーザー２９０の基準位置を決める。そこから、どれだけの変位（ジャイロといった角度変化）があったかを推測することで、基準位置からそのシーンにおけるどの３６０度中の画像を表示するかを決める。
出力指示を出した場合、出力される画像のプレビュー画面を出して、通常のパーソナルコンピュータからの印刷指示と同じようにサイズといった諸々の設定画面を表示し、そこでの指示を終えてから出力決定するようにしてもよい。
なお、ＶＲのコンテンツとして、例えば、ゲーム、旅行、不動産内見、学校の授業、遠隔会議等がある。
【００７１】
仮想現実ディスプレイ装置２００のような視界が覆われている機器でＶＲ画像を楽しむ場合、外の現実空間の情報が制限される。
それにより、パブリックスペース(ユーザー２９０のみが存在する閉鎖空間ではない空間)では、悪意ある他人がユーザー２９０へ危害を加えたり、物品の盗難が容易になったりしてしまう。つまり、ユーザー２９０は無防備な状態であり、周囲の変化になかなか気づきにくくなっている。ＶＲ画像（ゲーム等のコンテンツ）に没入中の無防備な姿を狙った犯罪が発生する可能性がある。例えば、カバンから財布等の貴重品を盗まれたり、盗撮されたり、身体を触られたり等もありえる。
そこで、図３の例に示すブース３００内で仮想現実ディスプレイ装置２００を用いることが想定される。
【００７２】
図３は、本実施の形態が利用され得るブース３００の例（閉鎖空間の一例）を示す説明図である。
ブース３００は、扉３１０、人検知センサー３３０を有している。また、扉３１０にはドアノブ３２０があり、扉３１０の開閉、施錠されているか否か（又は解錠されているか否か）、ドアノブ３２０が触られているか否か（特に、外側からドアノブ３２０を触られているか否か）を検知するセンサーが取り付けられている。人検知センサー３３０は人感センサーであり、例えば、赤外線センサー、監視カメラ、焦電型赤外線センサー等がある。
このブース３００は、多彩なワークスタイルへ対応するため、例えば、テレワーク、モバイルワークの活性化を図り、セキュリティが保たれた仕事環境、個室を提供するものである。また、いわゆるコミュニケーションブースとしての機能をも有している。
例えば、ブース３００は、駅の構内、空港のラウンジ、オフィス、飲食店やデパート等の店内、銀行等の他、屋外である公園、路上等にも設置され得る。なお、防音型とすることが好ましい。
ブース３００の内部には、机（又は、テーブル等）とイス、Ｗｅｂ会議が利用できるパーソナルコンピュータ、仮想現実ディスプレイ装置２００等が設置されており、セキュリティが保たれた静かな環境で、電話やＷｅｂ会議、個人のＰＣ、仮想現実ディスプレイ装置２００での作業が可能である。この他に、プリンター、スキャナー等が設置されていてもよい。なお、ユーザー２９０が用いる仮想現実ディスプレイ装置２００は、ブース３００内に既に設置されているもの（つまり、ブース３００の設備（共有機））であってもよいし、そのユーザー２９０が持ち込んだもの（つまり、ユーザー２９０個人の所有物）であってもよい。また、ユーザー２９０はどのような人であってもよい。例えば、出張しているビジネスマン、仮想現実ディスプレイ装置２００のコンテンツを楽しみたい人等である。
ブース３００はこのような環境であるので、ユーザー２９０は、周りの目を気にせずに、仮想現実ディスプレイ装置２００を用いることができる。
【００７３】
しかし、ブース３００内は、常に安全、安心であるわけではない。例えば、（１）ブース３００の予約時間の終了と同時に解錠されるが、ユーザー２９０は予約時間が終了したことを気づかずに仮想現実ディスプレイ装置２００を利用している場合、（２）ブース３００を施錠等する前に、仮想現実ディスプレイ装置２００を利用した場合、（３）ユーザー２９０以外の人物（不審者）が、ブース３００の回りをうろついている場合、（４）災害が発生した場合等がある。
そこで、本実施の形態では、このような場合が発生しないようにしている（又は、発生しても、ユーザー２９０は直ちに把握できるようにしている）。そして、最終的には、ブース３００の利用で、ＶＲ画像を楽しんでいるユーザー２９０の快適環境を目指すものである（なお、この文は、常に、本実施の形態によって快適環境が実現されると解釈させるものではない）。
【００７４】
図４は、本実施の形態を利用したシステム構成例を示す説明図である。
ブース３００内には、情報処理装置１００が設置又はユーザー２９０によって持ち込まれている。ブース３００ａ内の情報処理装置１００ａ、ブース３００ｂ内の情報処理装置１００ｂ、ブース３００ｃ内の情報処理装置１００ｃ、ブース管理装置４００は、通信回線４９９を介してそれぞれ接続されている。通信回線４９９は、無線、有線、これらの組み合わせであってもよく、例えば、通信インフラとしてのインターネット、イントラネット等であってもよい。また、ブース管理装置４００による機能は、クラウドサービスとして実現してもよい。
ブース管理装置４００は、利用可能なブース３００を登録し、予約条件等を管理する。そして、利用可能なブース３００と利用者（ユーザー２９０）を割り付け、予約管理を行う。また、主に、ビジネス利用の場合には、利用会社との契約条件の登録、修正等を行い、会社別に、利用者の登録・管理を行う。また、個人の利用者の登録・管理を行う。これらはブース３００の利用直前であってもよい。そして、利用者情報、予約情報、入退出情報等のログを管理する。そして、それらを元にして、請求書を作成し、会社別に指定フォーマットで、請求書を作成、送付することを行ってもよい。
【００７５】
図５は、画像提示モジュール１１５の構成例についての概念的なモジュール構成図である。
画像提示モジュール１１５は、提示・検知モジュール５１０ａ、提示・検知モジュール５１０ｂ、画像生成モジュール５３０を有している。なお、提示・検知モジュール５１０ａ、提示・検知モジュール５１０ｂ、提示モジュール５１５ａ、提示モジュール５１５ｂ、眼球検知モジュール５２０ａ、眼球検知モジュール５２０ｂは、左目用及び右目用のいずれも同様の構成であるため、５１０、５１５、５２０の符号を付して説明する。
画像記憶モジュール１１０は、画像提示モジュール１１５の画像生成モジュール５３０と接続されている。画像生成モジュール５３０は、画像記憶モジュール１１０、スケジュール管理モジュール１２５、制御モジュール１４０、提示・検知モジュール５１０と接続されている。提示・検知モジュール５１０は、提示モジュール５１５、眼球検知モジュール５２０を有しており、画像生成モジュール５３０と接続されている。
画像生成モジュール５３０は、画像記憶モジュール１１０から取得した画像データに基づき、左右の提示モジュール５１５（提示モジュール５１５ａ、提示モジュール５１５ｂ）へそれぞれ出力するための画像信号を生成する。次に、提示モジュール５１５が、これらの画像信号に応じた画像光をそれぞれ表示面へ出射し、ユーザー２９０の目５９０に画像が提示される。
眼球検知モジュール５２０は、ユーザー２９０の目５９０の視線を検知する。動き検知モジュール１０５による処理の一部を担うことになる。
スケジュール管理モジュール１２５は、画像提示モジュール１１５の画像生成モジュール５３０と接続されている。スケジュール管理モジュール１２５は、画像提示モジュール１１５を介して、ブース３００の予約時間に基づいて管理時間に到達した旨等を提示する。
制御モジュール１４０は、画像提示モジュール１１５の画像生成モジュール５３０と接続されている。制御モジュール１４０は、画像提示モジュール１１５を介して、「扉３１０を開けようとしている人がいる旨」、「火事が発生した旨」等を提示する。
【００７６】
図６は、本実施の形態による処理例を示すフローチャートである。
ステップＳ６０２では、スケジュール管理モジュール１２５は、スケジュール受付モジュール１２０を介してブース管理装置４００から、ブース３００の予約時間を取得する。例えば、ブーススケジュールテーブル７００を取得する。図７は、ブーススケジュールテーブル７００のデータ構造例を示す説明図である。ブーススケジュールテーブル７００は、ブースＩＤ欄７０５、ユーザーＩＤ欄７１０、使用人数欄７１５、予約時間欄７２０を有している。ブースＩＤ欄７０５は、本実施の形態において、ブース３００を一意に識別するための情報（ブースＩＤ：ＩＤｅｎｔｉｆｉｃａｔｉｏｎ）を記憶している。ユーザーＩＤ欄７１０は、本実施の形態において、そのブース３００を使用するユーザー２９０を一意に識別するための情報（ユーザーＩＤ）を記憶している。使用人数欄７１５は、そのブース３００を使用する人数を記憶している。予約時間欄７２０は、そのブース３００の予約時間（例えば、予約開始時間（年、月、日、時、分、秒、秒以下、又はこれらの組み合わせであってもよい）と予約終了時間）を記憶している。
【００７７】
ステップＳ６０４では、スケジュール管理モジュール１２５は、現在の日時を取得する。
ステップＳ６０６では、スケジュール管理モジュール１２５は、予約終了時間前であって、予約終了時間のＡ分前（予め定められた時間、例えば、５分前等）を過ぎているか否かを判断し、過ぎている場合はステップＳ６０８へ進み、それ以外の場合はステップＳ６１０へ進む。
【００７８】
ステップＳ６０８では、通知モジュール１３０は、ユーザー２９０にブース３００の予約終了時間に近いことを通知し、ステップＳ６０４へ戻る。例えば、図９（ａ）に示す画面９００ａを仮想現実ディスプレイ装置２００のディスプレイに提示する。画面９００ａには、例えば「本ブースは、後５分で予約終了時間となります。」と提示する。
【００７９】
ステップＳ６１０では、スケジュール管理モジュール１２５は、予約終了時間以降であるか否かを判断し、予約終了時間以降である場合はステップＳ６１２へ進み、それ以外の場合はステップＳ６０４へ戻る。
ステップＳ６１２では、通知モジュール１３０は、ユーザー２９０にブース３００の予約終了時間以降になっていることを通知する。例えば、図９（ｂ）に示す画面９００ｂを仮想現実ディスプレイ装置２００のディスプレイに提示する。画面９００ｂには、例えば「本ブースの予約終了時間となりました。速やかに退出して下さい。」と提示する。
ステップＳ６１４では、制御モジュール１４０は、強制的に情報処理装置１００（仮想現実ディスプレイ装置２００）の使用を停止する。
【００８０】
また、ブーススケジュールテーブル７００の代わりに、ブーススケジュールテーブル８００を用いてもよい。図８は、ブーススケジュールテーブル８００のデータ構造例を示す説明図である。ブーススケジュールテーブル８００は、ブースＩＤ欄８０５、ユーザーＩＤ欄８１０、使用人数欄８１５、予約時間欄８２０、延長可能時間欄８２５を有している。ブーススケジュールテーブル７００に延長可能時間欄８２５を付加したものである。したがって、ブースＩＤ欄８０５、ユーザーＩＤ欄８１０、使用人数欄８１５、予約時間欄８２０は、それぞれブースＩＤ欄７０５、ユーザーＩＤ欄７１０、使用人数欄７１５、予約時間欄７２０と同等である。延長可能時間欄８２５は、そのブース３００において、予約終了時間後の延長可能時間を記憶している。つまり、本予約の後に他の予約がない状態を示している。
【００８１】
ブーススケジュールテーブル８００を用いる場合は、ステップＳ６０８の後、又は、ステップＳ６１２の後に、ブーススケジュールテーブル８００の延長可能時間欄８２５を確認し、延長可能である場合は、その旨を提示し、ブース３００の使用延長を申請できるようにしてもよい。具体的には、延長可能時間欄８２５が正の時間である場合（そのブース３００において、次の予約までの時間がある場合）、その時間の延長が可能であることを提示し、延長申請を可能としてもよい。なお、延長料金の支払いを条件としてもよい。延長可能時間欄８２５が「０」である場合は、次の予約者がいる旨を提示し、延長申請もできないことを提示してもよい。
【００８２】
ステップＳ６０８の後で、延長可能である場合は、例えば、図１０（ａ）に示す画面１０００ａを仮想現実ディスプレイ装置２００のディスプレイに提示する。画面１０００ａには、例えば「本ブースは、後５分で予約終了時間となります。本ブースは３０分の延長が可能です」と提示し、「延長申請する」ボタン１０１０ａ、「延長しない」ボタン１０１５ａを提示する。「延長申請する」ボタン１０１０ａが選択された場合は、ブース管理装置４００と通信を行って、延長申請の画面を提示し、手続きを行えるようにする。「延長しない」ボタン１０１５ａが選択された場合は、画面９００ａの提示を繰り返してもよい。
ステップＳ６１２の後で、延長可能である場合は、例えば、図１０（ｂ）に示す画面１０００ｂを仮想現実ディスプレイ装置２００のディスプレイに提示する。画面１０００ｂには、例えば「本ブースの予約終了時間となりました。本ブースは３０分の延長が可能です」と提示し、「延長申請する」ボタン１０１０ｂ、「延長しない」ボタン１０１５ｂを提示する。「延長申請する」ボタン１０１０ｂが選択された場合は、「延長申請する」ボタン１０１０ａが選択された場合と同等の処理を行う。「延長しない」ボタン１０１５ｂが選択された場合は、画面９００ｂの提示を繰り返してもよい。
【００８３】
図１１は、本実施の形態による処理例を示すフローチャートである。
ステップＳ１１０２では、制御モジュール１４０は、ブース３００の扉３１０は閉められているか否か（「施錠されているか否か」であってもよい）を判断し、閉められている場合はステップＳ１１０６へ進み、それ以外の場合はステップＳ１１０４へ進む。
ステップＳ１１０４では、警告モジュール１４５は、扉３１０を閉じることを提示し、ステップＳ１１０２へ戻る。
【００８４】
ステップＳ１１０６では、制御モジュール１４０は、予約された使用人数を取得する。
ステップＳ１１０８では、制御モジュール１４０は、ブース３００内の人数は、予約された使用人数以下であるか否かを判断し、予約された使用人数以下の場合はステップＳ１１１２へ進み、それ以外の場合はステップＳ１１１０へ進む。なお、ブース３００を使用できる人数が、予め定められた人数（例えば、１人）である場合は、その人数とブース３００内の人数を比較すればよい。
ステップＳ１１１０では、警告モジュール１４５は、予約された人数より多い人がいることを提示し、ステップＳ１１０２へ戻る。
【００８５】
ステップＳ１１１２では、制御モジュール１４０は、情報処理装置１００（仮想現実ディスプレイ装置２００）の使用を可能とするように制御する。例えば、仮想現実ディスプレイ装置２００の電源をＯＮとしてもよいし、仮想現実ディスプレイ装置２００を格納している箱の蓋を開くようにしてもよいし、仮想現実ディスプレイ装置２００を通信可能（例えば、インターネットに接続されたコンテンツサーバー等との通信を可能）とするようにしてもよいし、コンテンツのダウンロード可能としてもよい。また、コード差し込み口の開閉を制御できるようにし、ユーザー２９０が持ち込んだ仮想現実ディスプレイ装置２００である場合は、仮想現実ディスプレイ装置２００のコード差し込み口を開くようにしてもよい。そして、仮想現実ディスプレイ装置２００が使用可能であることをブース管理・提示モジュール１２６０のディスプレイに提示してもよい。
【００８６】
また、仮想現実ディスプレイ装置２００がブース３００内に既に設置されている場合（仮想現実ディスプレイ装置２００が共有器の場合）であって、管理時間を超過したときは、格納位置（箱の中等）に戻すように通知をユーザー２９０に行うようにしてもよい。また、強制的に仮想現実ディスプレイ装置２００の表示部を消去するようにしてもよい。ここで「表示部を消去する」として、例えば、画像を（画面）を黒くすること、仮想現実ディスプレイ装置２００本体自体の電源は入っているが表示部だけを消去すること、仮想現実ディスプレイ装置２００本体又は表示部をスリープ状態に入らせること、仮想現実ディスプレイ装置２００本体（又は仮想現実ディスプレイ装置２００本体内の表示部）の電源を切ること等が含まれる。
【００８７】
図１２は、本実施の形態による処理例（図１１に示すフローチャートによる処理例）を示す説明図である。予約された使用人数より多い人を検知している場合や、解錠している場合、扉３１０が開いている場合は、ＶＲ機器である情報処理装置１００を使用できないようにしている例である。
ブース３００内には、ユーザー１２１０、人物１２２０が入場している。ブース３００内には、情報処理装置１００、人検知センサー１２３０、ブース管理・提示モジュール１２６０が設置されており、また、扉３１０には扉開閉センサー１２４０、ドアノブ３２０には、施錠センサー１２５０が設置されている。
ステップＳ１１０２の判断は、扉開閉センサー１２４０又は施錠センサー１２５０による検知結果を用いればよい。
人検知センサー１２３０は、ブース３００内のユーザーの人数を検知する。
ブース管理・提示モジュール１２６０は、ブース３００の管理、メッセージの提示等を行う。つまり、この時点では、未だ情報処理装置１００（仮想現実ディスプレイ装置２００）を使用できない状態であるので、ユーザーに対する通知、警告等は、ブース管理・提示モジュール１２６０（ブース管理・提示モジュール１２６０は、スケジュール管理モジュール１２５、制御モジュール１４０、画像提示モジュール１１５等の機能を有する）が行う。ブース管理・提示モジュール１２６０は、ブース３００内の人数が、予約された使用人数以下であるか否かを判断して、情報処理装置１００（仮想現実ディスプレイ装置２００）を使用可能に制御する、又は、警告を行う。例えば、予約された使用人数が一人である場合は、図１２の例の場合、予約されたユーザー１２１０以外の人物１２２０が侵入している可能性があることを警告する。
【００８８】
本実施の形態の機能を利用するためには、ブース３００に入るとき、電子施錠（スマートフォンのような端末でＮＦＣ、ＢＬＥ、ビーコン等で認証して開ける等）であれば、そのときの近接無線で接続した情報を利用して、ネットワーク接続して、本実施の形態の機能を実行できる、又は、利用するかの問い合わせをユーザーの端末に通知するようにしてもよい。
具体的には、ブース３００内の機器（例えば、前述のブース管理・提示モジュール１２６０）が、ブース３００外にいるユーザーが所有している端末と通信を行い、予約をしているユーザーであるならば、ブース３００の電子施錠を解錠するようにしてもよい。また、そのユーザーの端末に、ブース３００を利用することを確認するための情報を送信し、その表示を行わせ、ブース３００を利用することの確認ができた場合は、ブース３００の電子施錠を解錠するようにしてもよい。
【００８９】
図１３は、本実施の形態による処理例を示すフローチャートである。
ステップＳ１３０２では、ブース３００の扉３１０の状態を判断し、ブース３００の扉３１０が開いている、又は、ブース３００の扉３１０が施錠されていない、又は、ブース３００の扉３１０の外側が触れられている場合はステップＳ１３１０へ進み、それ以外の場合はステップＳ１３０４へ進む。
図１４は、本実施の形態を用いない場合に発生する例を示す説明図である。ユーザー１４１０は、ヘッドマウントディスプレイ１４２０を装着して、荷物１４３０を床に置いている。ヘッドマウントディスプレイ１４２０で、ユーザー１４１０はＶＲ画像を楽しんでいる。この状態では、ユーザー１４１０の視界がヘッドマウントディスプレイ１４２０で覆われており、外の状況が分からない。したがって、ユーザー１４１０の近くにいる他人１４５０が荷物１４３０を盗むことも容易になってしまう（又は、窃盗の機会を与えてしまう）。
これは、ブース３００内にユーザー１４１０がいたとしても、扉３１０が開いている状態、又は、施錠されていない状態と同じである。
【００９０】
ステップＳ１３０４では、ブース３００内の人数は予約された使用人数より多いか否かを判断し、多い場合はステップＳ１３１０へ進み、それ以外の場合はステップＳ１３０６へ進む。図１１の例に示したフローチャートのステップＳ１１０８と同等の処理を行う。
ステップＳ１３０６では、ブース３００の外側に人がいるか否かを判断し、いる場合はステップＳ１３１０へ進み、それ以外の場合はステップＳ１３０８へ進む。前述したように、ブース３００から予め定められた距離以内に、予め定められた時間以上滞在していることを条件としてもよい。
ステップＳ１３０８では、災害情報を取得したか否かを判断し、取得した場合はステップＳ１３１０へ進み、それ以外の場合はステップＳ１３０２へ戻る。
【００９１】
ステップＳ１３１０では、その旨の警告を情報処理装置１００（仮想現実ディスプレイ装置２００）を介して行う。
例えば、ステップＳ１３０２の判断で「ブース３００の扉３１０が開いている」場合は、図１７（ａ１）に示す画面１７００ａを仮想現実ディスプレイ装置２００のディスプレイに提示する。画面１７００ａには、例えば「本ブースの扉を閉めて下さい。」と提示する。又は、図１７（ａ２）に示す画面１７００ａを仮想現実ディスプレイ装置２００のディスプレイに提示する。画面１７００ａには、例えば「本ブースの扉が開かれました。確認して下さい。」と提示する。
例えば、ステップＳ１３０２の判断で「ブース３００の扉３１０が施錠されていない」場合は、図１７（ｂ）に示す画面１７００ｂを仮想現実ディスプレイ装置２００のディスプレイに提示する。画面１７００ｂには、例えば「本ブースの施錠を確認して下さい。」と提示する。
例えば、ステップＳ１３０２の判断で「ブース３００の扉３１０の外側が触れられている」場合は、図１７（ｃ）に示す画面１７００ｂを仮想現実ディスプレイ装置２００のディスプレイに提示する。画面１７００ｃには、例えば「本ブースの扉を開けようとしている人がいます。」と提示する。
【００９２】
例えば、ステップＳ１３０４の判断で「ブース３００内の人数は予約された使用人数より多い」場合は、図１７（ｄ）に示す画面１７００ｄを仮想現実ディスプレイ装置２００のディスプレイに提示する。画面１７００ｄには、例えば「予約された人数よりも多い人が本ブース内にいます。」と提示し、ブース内映像領域１７５０ｄを提示する。ブース内映像領域１７５０ｄには、カメラ１６４０が撮影した画像（動画を含む）を提示する。これによって、仮想現実ディスプレイ装置２００を利用しているユーザーは、仮想現実ディスプレイ装置２００を外すことなく、ブース３００内を確認することができる。
【００９３】
例えば、ステップＳ１３０６の判断で「ブース３００の外側に人がいる」場合は、図１７（ｅ）に示す画面１７００ｅを仮想現実ディスプレイ装置２００のディスプレイに提示する。画面１７００ｅには、例えば「本ブースの外側にうろついている人がいます。」と提示し、ブース外映像領域１７５０ｅを提示する。ブース外映像領域１７５０ｅには、カメラ１５４０が撮影した画像（動画を含む）を提示する。これによって、仮想現実ディスプレイ装置２００を利用しているユーザーは、仮想現実ディスプレイ装置２００を外すことなく（ブース３００の外を見ることなく）、ブース３００外の人物を確認することができる。
【００９４】
例えば、ステップＳ１３０８の判断で「火事発生の災害情報を受信した」場合は、図１７（ｆ１）に示す画面１７００ｆを仮想現実ディスプレイ装置２００のディスプレイに提示する。画面１７００ｆには、例えば「火事が発生しました。避難して下さい。」と提示する。
例えば、ステップＳ１３０８の判断で「地震発生の災害情報を受信した」場合は、図１７（ｆ２）に示す画面１７００ｆを仮想現実ディスプレイ装置２００のディスプレイに提示する。画面１７００ｆには、例えば「○○で地震発生。強い揺れに備えて下さい。」と表示する。
【００９５】
図１５は、本実施の形態による処理例を示す説明図である。
ブース３００内にはユーザー１５００がおり、ユーザー１５００は仮想現実ディスプレイ装置２００を装着している。
ブース３００内には人検知センサー１２３０が設置されており、ブース３００外には人検知センサー１５３０、カメラ１５４０が設置されており、扉３１０には扉開閉センサー１２４０が設置されており、ドアノブ３２０には施錠センサー１２５０が設置されている。
ステップＳ１３０２の判断は、扉開閉センサー１２４０、施錠センサー１２５０、人検知センサー１５３０、カメラ１５４０による検知結果を用いればよい。
ステップＳ１３０６の判断は、人検知センサー１５３０、カメラ１５４０による検知結果を用いればよい。
【００９６】
図１６は、本実施の形態による処理例を示す説明図である。
ブース３００内には、ユーザー１６００、他人１６５０がおり、ユーザー１６００は、仮想現実ディスプレイ装置２００を装着している。
ブース３００には、人検知センサー１２３０、カメラ１６４０が設置されている。
ステップＳ１３０４の判断は、人検知センサー１２３０、カメラ１６４０による検知結果を用いればよい。
【００９７】
なお、本実施の形態としてのプログラムが実行されるコンピュータのハードウェア構成は、図１８に例示するように、一般的なコンピュータであり、具体的には仮想現実ディスプレイ装置２００内の組み込み型コンピュータ、パーソナルコンピュータ、サーバーとなり得るコンピュータ等である。つまり、具体例として、処理部（演算部）としてＣＰＵ１８０１を用い、記憶装置としてＲＡＭ１８０２、ＲＯＭ１８０３、ＨＤ１８０４を用いている。ＨＤ１８０４として、例えばハードディスク、ＳＳＤ（Ｓｏｌｉｄ  Ｓｔａｔｅ  Ｄｒｉｖｅ）を用いてもよい。動き検知モジュール１０５、画像提示モジュール１１５、スケジュール受付モジュール１２０、スケジュール管理モジュール１２５、通知モジュール１３０、センサー結果受付モジュール１３５、制御モジュール１４０、警告モジュール１４５等のプログラムを実行するＣＰＵ１８０１と、そのプログラムやデータを記憶するＲＡＭ１８０２と、本コンピュータを起動するためのプログラム等が格納されているＲＯＭ１８０３と、画像記憶モジュール１１０としての機能を有する補助記憶装置（フラッシュ・メモリ等であってもよい）であるＨＤ１８０４と、キーボード、マウス、タッチスクリーン、マイク、カメラ（視線検知カメラ等を含む）等に対する利用者の操作（動作、音声、視線等を含む）に基づいてデータを受け付ける受付装置１８０６と、ＣＲＴ、液晶ディスプレイ、スピーカー等の出力装置１８０５と、ネットワークインターフェースカード等の通信ネットワークと接続するための通信回線インターフェース１８０７、そして、それらをつないでデータのやりとりをするためのバス１８０８により構成されている。これらのコンピュータが複数台互いにネットワークによって接続されていてもよい。
【００９８】
前述の実施の形態のうち、コンピュータ・プログラムによるものについては、本ハードウェア構成のシステムにソフトウェアであるコンピュータ・プログラムを読み込ませ、ソフトウェアとハードウェア資源とが協働して、前述の実施の形態が実現される。
なお、図１８に示すハードウェア構成は、１つの構成例を示すものであり、本実施の形態は、図１８に示す構成に限らず、本実施の形態において説明したモジュールを実行可能な構成であればよい。例えば、一部のモジュールを専用のハードウェア（例えば特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）等）で構成してもよく、一部のモジュールは外部のシステム内にあり通信回線で接続している形態でもよく、さらに図１８に示すシステムが複数互いに通信回線によって接続されていて互いに協調動作するようにしてもよい。また、特に、組み込み型コンピュータの他、携帯情報通信機器（携帯電話、スマートフォン、モバイル機器、ウェアラブルコンピュータ等を含む）などに組み込まれていてもよい。
【００９９】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通等のために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ（登録商標）  Ｄｉｓｃ）、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）、ＳＤ（Ｓｅｃｕｒｅ  Ｄｉｇｉｔａｌ）メモリーカード等が含まれる。
そして、前記のプログラムの全体又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、又は無線通信ネットワーク、さらにこれらの組み合わせ等の伝送媒体を用いて伝送させてもよく、また、搬送波に乗せて搬送させてもよい。
さらに、前記のプログラムは、他のプログラムの一部分若しくは全部であってもよく、又は別個のプログラムと共に記録媒体に記録されていてもよい。また、複数の記録媒体に分割して記録されていてもよい。また、圧縮や暗号化等、復元可能であればどのような態様で記録されていてもよい。
【符号の説明】
【０１００】
１００…情報処理装置
１０５…動き検知モジュール
１１０…画像記憶モジュール
１１５…画像提示モジュール
１２０…スケジュール受付モジュール
１２５…スケジュール管理モジュール
１３０…通知モジュール
１３５…センサー結果受付モジュール
１４０…制御モジュール
１４５…警告モジュール
２００…仮想現実ディスプレイ装置
２９０…ユーザー
３００…ブース
３１０…扉
３２０…ドアノブ
３３０…人検知センサー
４００…ブース管理装置
４９９…通信回線
５１０…提示・検知モジュール
５１５…提示モジュール
５２０…眼球検知モジュール
５３０…画像生成モジュール
５９０…目
【図１】
2019105960.tif 000003
【図２】
2019105960.tif 000004
【図３】
2019105960.tif 000005
【図４】
2019105960.tif 000006
【図５】
2019105960.tif 000007
【図６】
2019105960.tif 000008
【図７】
2019105960.tif 000009
【図８】
2019105960.tif 000010
【図９】
2019105960.tif 000011
【図１０】
2019105960.tif 000012
【図１１】
2019105960.tif 000013
【図１２】
2019105960.tif 000014
【図１３】
2019105960.tif 000015
【図１４】
2019105960.tif 000016
【図１５】
2019105960.tif 000017
【図１６】
2019105960.tif 000018
【図１７】
2019105960.tif 000019
【図１８】
2019105960.tif 000020